(57)【特許請求の範囲】
【請求項１】
天板と、前記天板を昇降可能に支持する支持脚と、前記天板から垂下された配線ケーブルとを有する天板昇降式什器と、
前記天板昇降式什器と独立に設けられ、前記配線ケーブルを上方から挿通する開口部が上端部に形成されており、前記開口部の下方に前記配線ケーブルを収容する配線収容什器と、
を備え、
前記配線収容什器は、
前記天板昇降式什器の前記天板の下方において、
鉛直方向から見て、前記開口部が、前記天板昇降式什器における前記配線ケーブルと前記天板との固定部、および前記天板と重なる位置関係に配置されており、
前記天板昇降式什器は、
前記天板が水平面における第１の方向に延びており、
前記支持脚が前記天板の下方において前記第１の方向に対向して配置された一対からなり、
前記配線ケーブルが前記一対の支持脚の前記第１の方向における内側の側面より外側に位置する前記天板の端部から垂下されており、
前記配線収容什器の前記開口部は、
前記第１の方向と直交する第２の方向に延びている、
天板昇降式什器システム。
【請求項２】
前記天板昇降式什器の前記配線ケーブルの上端部は、
前記支持脚の上端部の近傍における前記天板に固定され、
前記支持脚は、
前記配線収容什器の内部を鉛直方向に貫通している、
請求項１に記載の天板昇降式什器システム。
【請求項３】
前記天板昇降式什器および前記配線収容什器の一方は、
前記天板昇降式什器および前記配線収容什器の他方との間に隙間を有して配されておりかつ前記天板昇降式什器および前記配線収容什器の他方との水平面における相対位置を規制可能な位置規制部を備える、
請求項１または２に記載の天板昇降式什器システム。
【請求項４】
前記天板昇降式什器は、
複数個が互い離間して配置され、
前記配線収容什器は、
鉛直方向から見て、複数個の前記天板昇降式什器におけるそれぞれの前記天板を横断する位置関係に配置されている、
請求項１〜３のいずれか１項に記載の天板昇降式什器システム。
【発明の詳細な説明】
【技術分野】
【０００１】
本発明は、天板昇降式什器システムに関する。
【背景技術】
【０００２】
オフィスや公共施設等においては、各種作業を行うことのできる天板を備えたデスク、テーブル、作業台、実験台等の天板付什器が用いられている。
天板付什器においては、使用者の姿勢、体格、性別、好み等によって、作業のしやすい天板の高さは個々に異なる。このため、天板の高さを上下に変更可能とした天板昇降式什器が使用されている。天板昇降式什器においては、使用者の要望に応じた天板高さの作業エリアを提供することができ、作業効率を向上させることができるとともに、使用者の体への負荷を軽減することができる。
この種の天板昇降式什器の天板の昇降機構としては、ガススプリングやギアを用いるもの、電動式駆動ユニットを用いるもの等が知られている（例えば、特許文献１〜５参照）。
天板昇降式什器は、例えば、ワゴンなどの他の什器と組み合わされたり、複数の天板昇降式什器が組み合わされたりすることで、天板昇降式什器システムとして用いられることがある。
【先行技術文献】
【特許文献】
【０００３】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【発明の概要】
【発明が解決しようとする課題】
【０００４】
しかしながら、従来の天板昇降式什器システムにおいては、天板の昇降機構を駆動するための配線や、天板上の作業に必要となる電源配線、通信配線などを含む配線ケーブルが、天板から垂れ下がることが多い。このように天板から垂れ下がる配線ケーブルは、天板の昇降に伴って移動するため、互い絡み合ったり、他の什器と干渉したりするおそれがある。このような絡み合いや干渉が生じると、天板の昇降動作に支障を来すおそれもある。
天板昇降式什器システムでは、天板が昇降しても、配線ケーブル同士あるいは配線ケーブルと他の什器との干渉や絡み合いなどを防止することが強く求められている。
【０００５】
本発明は、上記のような事情に鑑みてなされたものであり、天板が昇降しても、天板から垂下する配線ケーブルの安定的な移動が可能となる天板昇降式什器システムを提供することを目的とする。
【課題を解決するための手段】
【０００６】
本発明は、上記の課題を解決するため、以下の手段を採用する。
本発明の天板昇降式什器システムは、天板と、前記天板を昇降可能に支持する支持脚と、前記天板から垂下された配線ケーブルとを有する天板昇降式什器と、前記天板昇降式什器と独立に設けられ、前記配線ケーブルを上方から挿通する開口部が上端部に形成されており、前記開口部の下方に前記配線ケーブルを収容する配線収容什器と、を備え、前記配線収容什器は、前記天板昇降式什器の前記天板の下方において、鉛直方向から見て、前記開口部が、前記天板昇降式什器における前記配線ケーブルと前記天板との固定部、および前記天板と重なる位置関係に配置されており、前記天板昇降式什器は、前記天板が水平面における第１の方向に延びており、前記支持脚が前記天板の下方において前記第１の方向に対向して配置された一対からなり、前記配線ケーブルが前記一対の支持脚の前記第１の方向における内側の側面より外側に位置する前記天板の端部から垂下されており、前記配線収容什器の前記開口部は、前記第１の方向と直交する第２の方向に延びている。
【０００７】
このように構成することで、天板昇降式什器の天板から垂下された配線ケーブルは、配
線ケーブルと天板との固定部および天板と重なる位置関係に設けられた、配線収容什器の
開口部に上方から挿入される。このため、天板が昇降して配線ケーブルが移動しても、天
板の下方における開口部の範囲で移動するため、配線ケーブルの安定的な移動が可能とな
る。
また、第１の方向に対向して配置された支持脚の内側の側面よりも外側に垂下される配線ケーブルを、第２の方向に延びる配線収容什器の開口部内に収容することができる。このため、第１の方向における支持脚の内側における天板の下のスペースを有効利用することができる。
【０００９】
上記天板昇降式什器システムにおいては、前記天板昇降式什器の前記配線ケーブルの上端部は、前記支持脚の上端部の近傍における前記天板に固定され、前記支持脚は、前記配線収容什器の内部を鉛直方向に貫通していてもよい。
このように構成することで、天板昇降式什器の支持脚の配置位置と、配線収容什器の配置位置とを重ねることができるため、天板昇降式什器システムの設置面積の省スペース化が可能である。
【００１０】
上記天板昇降式什器システムにおいては、前記天板昇降式什器および前記配線収容什器の一方は、前記天板昇降式什器および前記配線収容什器の他方との間に隙間を有して配されておりかつ前記天板昇降式什器および前記配線収容什器の他方との水平面における相対位置を規制可能な位置規制部を備えてもよい。
このように構成することで、位置規制部によって、天板昇降式什器と配線収容什器との互いの位置関係を容易に合わせることができる。
【００１２】
上記天板昇降式什器システムにおいては、前記天板昇降式什器は、複数個が互い離間して配置され、前記配線収容什器は、鉛直方向から見て、複数個の前記天板昇降式什器におけるそれぞれの前記天板を横断する位置関係に配置されていてもよい。
このように構成することで、複数の天板昇降式什器の天板を横断するように設けられた１つの配線収容什器に、複数の天板からの配線ケーブルをまとめて収容することができる。このような配線収容什器においては、各天板の配線ケーブルと接続する配線を収容することで、各天板の配線ケーブルとの接続が容易になり、配線レイアウトを簡素化することができる。
【発明の効果】
【００１３】
本発明の天板昇降式什器システムによれば、天板が昇降しても、天板から垂下する配線ケーブルの安定的な移動が可能となる。
【図面の簡単な説明】
【００１４】
【図１】本発明の第１の実施形態の天板昇降式什器システムの構成例を示す模式的な斜視図である。
【図２】本発明の第１の実施形態の天板昇降式什器システムの主要部の構成例を示す模式的な分解斜視図である。
【図３】図２におけるＡ部の拡大図である。
【図４】図３におけるＢ視の平面図である。
【図５】図４におけるＣ−Ｃ断面図である。
【図６】図４におけるＤ−Ｄ断面図である。
【図７】本発明の第２の実施形態の天板昇降式什器システムの構成例を示す模式的な斜視図である。
【図８】図７におけるＥ視の斜視図である。
【図９】図８におけるＧ視の平面図である。
【図１０】本発明の第３の実施形態の天板昇降式什器システムの構成例を示す模式的な正面図である。
【図１１】本発明の第４の実施形態の天板昇降式什器システムの構成例を示す模式的な平面図である。
【図１２】図１１におけるＨ−Ｈ断面図である。
【発明を実施するための形態】
【００１５】
以下では、本発明の実施形態について添付図面を参照して説明する。すべての図面において、実施形態が異なる場合であっても、同一または相当する部材には同一の符号を付し、共通する説明は省略する。
【００１６】
［第１の実施形態］
本発明の第１の実施形態の天板昇降式什器システムについて説明する。
図１は、本発明の第１の実施形態の天板昇降式什器システムの構成例を示す模式的な斜視図である。図２は、本発明の第１の実施形態の天板昇降式什器システムの主要部の構成例を示す模式的な分解斜視図である。図３は、図２におけるＡ部の拡大図である。図４は、図３におけるＢ視の平面図である。図５は、図４におけるＣ−Ｃ断面図である。図６は、図４におけるＤ−Ｄ断面図である。
【００１７】
図１に示すように、本実施形態のデスク装置システム１００（天板昇降式什器システム）は、デスク装置１１０Ａ、１１０Ｂ、１１０Ｃ、１１０Ｄ（天板昇降式什器）と、配線収容ユニット１２０（配線収容什器）とを備える。
デスク装置１１０Ａとデスク装置１１０Ｄとは、それらの間に配線収容ユニット１２０を挟んで、水平面におけるＸ方向（第１の方向）に対向して配置されている。配線収容ユニット１２０は、水平面においてＸ方向と直交するＹ方向（第２の方向）に延びて配置されている。
デスク装置１１０Ａ、１１０Ｂ、１１０Ｃは、配線収容ユニット１２０に対して、Ｘ方向の同方向側となる領域に、Ｙ方向に互いに離間して配列されている。
デスク装置１１０Ａ、１１０Ｂ、１１０Ｃは、いずれも同一の構成を有し、配置位置のみが異なる。以下では、デスク装置１１０Ａ、１１０Ｂ、１１０Ｃの構成の説明など、互いを区別する必要のない説明では、デスク装置１１０と称する場合がある。
【００１８】
まず、デスク装置１１０の構成について説明する。
図２に示すように、デスク装置１１０は、天板１と、天板１を昇降可能に支持する支持脚２Ｌ、２Ｒとを備える。
図１に描かれた各天板１の高さは一例であり、操作者が適宜変更することができる。図１では、天板１Ａがデスク装置１１０による最上位置に位置し、天板１Ｃがデスク装置１１０による最下位置に位置する場合の例が描かれている。
【００１９】
天板１の外形は特に限定されないが、本実施形態では、一例として、平面視矩形状の平板である。平面視は、鉛直上方から下方を見ることを意味する。
天板１の平面視の外形は、矩形状の長辺を構成する正面外縁１ｆおよび背面外縁１ｂと、矩形状の短辺を構成する左側外縁１ｈおよび右側外縁１ｍとを有する。
正面外縁１ｆは、デスク装置１１０の標準的な使用状態において天板１の周りで使用者が立ったり座ったりする場合に、使用者が正対する外縁である。左側外縁１ｈ（右側外縁１ｍ）は、正面外縁１ｆから背面外縁１ｂに向かって左側（右側）の外縁である。
デスク装置システム１００において、各天板１は、天板１の長手方向がＸ方向、短手方向がＹ方向となり、右側外縁１ｍが、配線収容ユニット１２０上に位置する向きに配置さている。
【００２０】
図２に示すように、天板１の下面には、後述する支持脚２Ｌ，２Ｒの上端部と固定するための支持ブラケット３（昇降脚部材２Ｒ上の支持ブラケット３は不図示）が固定されている。
本実施形態では、天板１の支持ブラケット３は、天板１の左側外縁１ｈ、右側外縁１ｍの近傍において、それぞれ左側外縁１ｈ、右側外縁１ｍに沿う方向に延びて設けられている。支持ブラケット３は、天板１の長手方向において左側外縁１ｈ（右側外縁１ｍ）との間に天板下面が露出するように固定されていてもよい。ただし、本実施形態では、後述する支持脚２Ｌ、２Ｒの間における天板１下のスペースを広くするため、各支持ブラケット３の側面が、それぞれ左側外縁１ｈ、右側外縁１ｍと略並ぶ位置において天板１と固定されている。
【００２１】
さらに、天板１は、後述する支持脚２Ｌ、２Ｒの動作を制御する制御ユニット（不図示。以下同じ。）と、制御ユニットに昇降動作信号を入力するための操作部７と、配線ケーブル８と、を備えている。
【００２２】
制御ユニットは、例えば、天板１の下面等に固定されている。制御ユニットは、電気配線（不図示。以下同じ。）を通して、後述する配線ケーブル８、支持脚２Ｌ、２Ｒに内蔵された伸縮駆動装置（不図示。以下同じ。）、および操作部７と電気的に接続されている。
【００２３】
操作部７は、天板１の正面外縁１ｆの近傍の下面に設けられている。操作部７は、天板１内の制御ユニットに、電気配線（不図示。以下同じ。）を介して電気的に接続されている。
使用者が操作部７に対して所定の操作を入力すると、操作部７から電気配線を通して、制御ユニットに操作信号が送信される。制御ユニットは、操作部７から操作信号を受信すると、受信した信号に基づいて、天板１を支持する後述の昇降脚部材２Ａに昇降動作を実行させる指令信号を出力する。後述の昇降脚部材２Ａは、指令信号を受信すると、その指令信号に応じて伸縮駆動される。これによって、天板１の高さの調整がなされる。
本実施形態では、各天板１は、２つの昇降脚部材２Ａによって支持されている。このため、操作信号を受信した天板１の制御ユニットは、２つの昇降脚部材２Ａを同期して駆動する。これにより、天板１が水平を保って昇降移動される。
【００２４】
配線ケーブル８は、その一端が右側外縁１ｍ側の天板端部１ａの下面において、背面外縁１ｂ寄りの位置に図示略の固定部を介して固定されている。配線ケーブル８はこの固定部から、下方に垂下されている。配線ケーブル８の他端部は、天板１および配線ケーブル８の下方に配置された後述する配線収容ユニット１２０の内部に固定されている。
配線ケーブル８は、電源用、通信用等の配線を備える。配線ケーブル８内の配線は、少なくとも、制御ユニット、および後述する昇降脚部材２Ａの伸縮駆動装置への電源配線を含む。配線ケーブル８の配線は、例えば、電気配線でもよいし、光ファイバなどの光配線でもよい。
配線ケーブル８は、単数または複数の配線自体でもよい。複数の配線の場合、束ねられていれもよいし、束ねられていなくてもよい。
【００２５】
図３に示すように、本実施形態では、配線ケーブル８は、電源配線を含むケーブル本体８ａと、ケーブル本体８ａを挿通するケーブル保護チェーン８ｄと、を備える。
ケーブル保護チェーン８ｄから延出されたケーブル本体８ａの電源配線の先端にはプラグ８ｂが設けられている。
【００２６】
ケーブル保護チェーン８ｄは、複数のコマ部材がピンを介して回動自在に連結されたチェーン状部材である。これにより、ケーブル保護チェーン８ｄは、右側外縁１ｍに平行な鉛直面内で、屈曲（湾曲）自在に変形するようになっている。ケーブル保護チェーン８ｄの変形は、コマ部材の配列が屈曲して起こるが、内部のケーブル本体８ａは滑らかに湾曲している。以下では、配線ケーブル８の変形に関して、ケーブル保護チェーン８ｄの屈曲変形も含めて、単に湾曲と言うことにする。
【００２７】
図２に示すように、支持脚２Ｌ、２Ｒは、配置位置が異なるのみで、互いに同様の構成を有する。
支持脚２Ｌの上端部は、天板１の長手方向（Ｘ方向）において、左側外縁１ｈ寄りの天板端部に設けられた支持ブラケット３に固定されている。
支持脚２Ｒの上端部は、天板１の長手方向において右側外縁１ｍ寄りの天板端部に設けられた支持ブラケット３に固定されている。
以下、支持脚２Ｌ、２Ｒの構成について、支持脚２Ｌの例で説明する。
【００２８】
支持脚２Ｌは、ベース部材２Ｂと、昇降脚部材２Ａとを備える。
ベース部材２Ｂは、天板端部の下方において天板１の短手方向（Ｙ方向）に延びて配置される。ベース部材２Ｂの長さは、天板１を安定して支持できる長さであれば特に限定されないが、本実施形態では、一例として、天板１の短手方向の幅（背面外縁１ｂと正面外縁１ｆとの間の距離）と略等しい。
ベース部材２Ｂの短手方向（天板１の長手方向）におけるベース部材２Ｂの幅は、後述する昇降脚部材２Ａが固定可能な幅であればよい。
ベース部材２Ｂの下面には、複数の接地部材２ｄが突出されている。ベース部材２Ｂは、複数の接地部材２ｄを介して床面Ｆ上に配置される。接地部材２ｄは、ベース部材２Ｂの配置高さおよび水平レベルを調整できるようになっている。
接地部材２ｄの個数は２以上であれば、特に限定されない。本実施形態では、一例として、ベース部材２Ｂの長手方向における両端部と中央部とにそれぞれ１つずつ設けられている。
【００２９】
昇降脚部材２Ａは、ベース部材２Ｂ上に固定された第１筒部２ａと、第１筒部２ａ内に鉛直方向に移動可能に挿入された第２筒部２ｂと、第２筒部２ｂ内に鉛直方向に移動可能に挿入された第３筒部２ｃと、を有している。
第１筒部２ａ、第２筒部２ｂ、および第３筒部２ｃは、それぞれ角筒状をなしている。
昇降脚部材２Ａは、伸縮駆動装置（不図示。以下同じ。）を内蔵している。昇降脚部材２Ａは、伸縮駆動装置が駆動源（不図示。以下同じ。）によって駆動されることによって、第１筒部２ａに対し、第２筒部２ｂ、第３筒部２ｃが鉛直方向に沿って出没することできる。これにより、昇降脚部材２Ａは、昇降脚部材２Ａ全体としての鉛直方向の長さが調整可能（伸縮可能）となっている。
昇降脚部材２Ａの第３筒部２ｃの上端は、支持ブラケット３と、例えば、ビス止めなどによって固定されている。
【００３０】
図１に示すように、デスク装置１１０Ｄは、デスク装置１１０の天板１に代えて、天板１Ｄを備え、天板１Ｄを３つの昇降脚部材２Ａによって昇降可能に支持して構成される。
天板１Ｄは、天板１において左側外縁１ｈと正面外縁１ｆとのなす角部を平面視略矩形状に切り欠いて構成された平面視Ｌ字状の外形を有する。このため天板１Ｄにおいて、左側外縁１ｈは、右側外縁１ｍよりも短くなっている。
天板１Ｄは、左側外縁１ｈ側の天板端部においてデスク装置１１０と同様に、ベース部材２Ｂと昇降脚部材２Ａとからなる支持脚２Ｌによって支持される。
天板１Ｄは、右側外縁１ｍ側の天板端部においては、ベース部材２Ｂと、ベース部材２Ｂの長手方向の両端部に立設された２つの昇降脚部材２Ａとからなる支持脚２ＲＤによって支持される。支持脚２ＲＤの各昇降脚部材２Ａの上端は、支持ブラケット３を介して天板１Ｄに固定されている。
【００３１】
特に図示しないが、デスク装置１１０Ｄにおける天板１Ｄには、左側外縁１ｈの近傍の天板端部の下面に配線ケーブル８が固定され、下方に垂下されている。天板１Ｄに上端部が固定された配線ケーブル８は、天板１Ｄおよび配線ケーブル８の下方に配置された後述する配線収容ユニット１２０の内部に固定されている。
【００３２】
図１に示すように、配線収容ユニット１２０は、Ｙ方向において直列に配列された、第１収容部６Ａ、第２収容部６Ｂ、および第３収容部６Ｃと、第１収容部６Ａ、第２収容部６Ｂ、および第３収容部６Ｃ上にそれぞれ取り付けられた３つの仕切り板１０と、を備える。
【００３３】
第１収容部６Ａ、第２収容部６Ｂ、および第３収容部６Ｃは、配置位置が異なる点と、両端部の第１収容部６Ａおよび第３収容部６Ｃに端部カバー６ｓが設けられた点とを除いて、互いに同一の形状を有する。第１収容部６Ａ、第２収容部６Ｂ、および第３収容部６Ｃは、図示略の接続部材によって、Ｙ方向に隣り合う位置で互いに固定されている。
第１収容部６Ａ、第２収容部６Ｂ、および第３収容部６Ｃは、いずれもそれぞれの長手方向（Ｙ方向）に延びる鉛直面に関して面対称な形状を有する。
第１収容部６Ａは、デスク装置１１０Ａ、１１０Ｄの間に配置されている。第１収容部６Ａの内部には、天板１Ａ、１Ｄから垂下された各配線ケーブル８（天板１Ｄから垂下された配線ケーブル８は不図示）の下端部が収容されている。
第２収容部６Ｂ（第３収容部６Ｃ）は、デスク装置１１０Ｂ（１１０Ｃ）の右側外縁１ｍ側に配置されている。第２収容部６Ｂ（第３収容部６Ｃ）の内部には、天板１Ｂ（１Ｃ）から垂下された配線ケーブル８の下端部が収容されている。
さらに、第１収容部６Ａ、第２収容部６Ｂ、および第３収容部６Ｃの内部には、これらの長手方向（Ｙ方向）にまたがる電源用、通信用などの配線を含むケーブルが挿通および収容可能である。
【００３４】
以下では、第１収容部６Ａ、第２収容部６Ｂ、および第３収容部６Ｃに共通する構成について、第２収容部６Ｂを例にして説明する。第２収容部６Ｂ内の位置関係の説明では、デスク装置システム１００における配置方向に合わせて、第２収容部６Ｂの長手方向をＹ方向、短手方向をＸ方向として説明する。
【００３５】
図２に示すように、第２収容部６Ｂは、ベース部材６ａ、側板部６ｃ、上面部６ｅ（上端部）、側板６ｇ、第１配線ダクト部６ｈ、第２配線ダクト部６ｎ、および配線ガイド６ｑを備える。
【００３６】
ベース部材６ａは、Ｙ方向における第２収容部６Ｂの両端部をそれぞれ支持する。ベース部材６ａは、Ｘ方向に細長く延ばされ、下面には、複数の接地部材６ｂが突出されている。ベース部材６ａは、複数の接地部材６ｂを介して床面Ｆ上に配置される。接地部材６ｂは、ベース部材６ａの配置高さおよび水平レベルを調整できるようになっている。
側板部６ｃは、各ベース部材６ａの中央部において、それぞれ立設されている。
側板部６ｃのＸ方向の中心部には、鉛直方向に長いスリット状の水平方向開口部６ｄが厚さ方向（Ｙ方向）に貫通している。
上面部６ｅは、Ｙ方向に互いに対向する各側板部６ｃの上端部において、各側板部６ｃのＸ方向の中心部に固定されている。上面部６ｅは、Ｙ方向に長く延ばされており、各側板部６ｃのＹ方向のスパンを決めている。上面部６ｅのＸ方向の幅は、側板部６ｃのＸ方向の幅よりも狭い。
【００３７】
側板６ｇは、各側板部６ｃの間をＸ方向の外側からそれぞれ覆う矩形状のカバー部材である。
各側板６ｇは、Ｙ方向の両端部に係止部６ｕが設けられている。各係止部６ｕは、側板部６ｃに設けられた係止金具に係止され、側板部６ｃのＸ方向の端面と略同位置に係止される。
側板６ｇを係止する係止金具は係止専用の部材を用いてもよい。ただし、本実施形態では、後述する配線ガイド６ｑが係止金具を兼ねている。
各側板部６ｃに係止された側板６ｇの内面と、上面部６ｅのＸ方向の側面６ｆとの間には、Ｙ方向に延びる平面視矩形状の開口部６ｖが形成されている。
開口部６ｖのＸ方向の幅は、Ｘ方向における第１筒部２ａの幅よりも広い。
【００３８】
第２収容部６Ｂにおいて、各側板部６ｃおよび各側板６ｇによって囲まれる内部には、第１配線ダクト部６ｈおよび第２配線ダクト部６ｎが、それぞれ各側板部６ｃの間に延びて配置されている。第１配線ダクト部６ｈおよび第２配線ダクト部６ｎは、Ｙ方向の両端部における図示しない取付部において、例えばビス止めなどによって側板部６ｃの内面と固定されている。
【００３９】
図３に示すように、第１配線ダクト部６ｈは、水平に延びる底面部６ｉと、底面部６ｉのＸ方向の両端部から上方に折り曲げられた側面部６ｊと、を有し、上方に開口するチャンネル状部材である。底面部６ｉと床面Ｆとの間には、支持脚２Ｒにおけるベース部材２Ｂ、および図示しないデスク装置１１０Ｄの支持脚２Ｌにおけるベース部材２Ｂが挿入可能な空隙が空いている。
【００４０】
図２に示すように、第１配線ダクト部６ｈのＹ方向の両端部には、側板部６ｃから離れた位置に平面視矩形状の４つの切欠き部６ｍが、上方の開口部６ｖに臨むように形成されている。
図３、図４に示すように、切欠き部６ｍは、昇降脚部材２Ａの第１筒部２ａが挿通可能な大きさに形成されている。
切欠き部６ｍは、挿通された第１筒部２ａのＸ方向およびＹ方向の位置を規制可能な位置規制部を構成している。切欠き部６ｍによる位置規制の範囲は、Ｙ方向においては、切欠き部６ｍのＹ方向の幅と、第１筒部２ａのＹ方向の幅との差によって決まる。
【００４１】
第１配線ダクト部６ｈの底面部６ｉには、Ｙ方向の中間部に平面視矩形状の孔部６ｋが貫通されている。孔部６ｋは、後述するケーブル９ａ等のケーブルを第１配線ダクト部６ｈの下方に延出させるために用いられる。孔部６ｋの形状、個数、形成位置は、第１配線ダクト部６ｈの下方に延出するケーブルの外径、本数などに応じて適宜の形状、個数、形成位置が可能である。
【００４２】
図５に示すように、第２配線ダクト部６ｎは、本実施形態では、上側に開口する上端開口部６ｐを有する断面矩形状のチャンネル部材である。上端開口部６ｐのＸ方向の幅は、上面部６ｅのＸ方向の幅よりも狭く、側板部６ｃの水平方向開口部６ｄのＸ方向の幅よりも広い。
第２配線ダクト部６ｎは、鉛直方向においては、第１配線ダクト部６ｈと上面部６ｅとの間に配置されている。第２配線ダクト部６ｎは、平面視では上面部６ｅに覆われる位置に配置されている。
【００４３】
図４に示すように、配線ガイド６ｑは、平面視Ｌ字状の部材であり、側板部６ｃの内面側に図示略のビスなどによって固定されている。Ｘ方向における配線ガイド６ｑの端部には、平面視で、Ｙ方向に延びる側面部６ｒが立設されている。側面部６ｒの下端部は、第１配線ダクト部６ｈの側面部６ｊの内側に当接している。
平面視にて、側面部６ｒと第２配線ダクト部６ｎの側面との間には、昇降脚部材２Ａと昇降脚部材２Ａが支持する天板１から垂下された配線ケーブル８とを収容可能な隙間が形成されている。
図３に示すように、側面部６ｒには、側板６ｇの係止部６ｕ（図２参照）を着脱可能に係止する係止孔６ｔが形成されている。
【００４４】
第２収容部６Ｂの内部において、第１配線ダクト部６ｈの上側には、切欠き部６ｍに挿通する昇降脚部材２Ａが延びており、天板１Ｂから垂下された配線ケーブル８の下端部と、テーブルタップ９とが収容されている。
昇降脚部材２Ａの第１筒部２ａは、切欠き部６ｍによって、Ｘ方向およびＹ方向の位置が規制された状態で、切欠き部６ｍ内に配置されている。
図６に示すように、支持脚２Ｒのベース部材２Ｂは、第１配線ダクト部６ｈの底面部６ｉの下方においてＹ方向に延ばされて配置されている。
このため、平面視では、図４に示すように、天板１Ｂの右側外縁１ｍがＹ方向に平行に配置される。右側外縁１ｍの近傍の天板端部１ａは、開口部６ｖ上にあって、第１配線ダクト部６ｈの側面部６ｊと第２配線ダクト部６ｎの側面との間の隙間に重なるように配置されている。天板端部１ａの下面において配線ケーブル８を固定する連結金具８ｃ（固定部。図４では図示略。図５参照）の位置も同様である。
【００４５】
このような位置関係によって、配線ケーブル８は、Ｘ方向において側面部６ｒよりも内側の配線ガイド６ｑと対向する位置に垂下されている。
図６に示すように、配線ケーブル８の端部は、連結金具８ｃを介して、配線ガイド６ｑの上端部に固定されている。本実施形態では、配線ケーブル８がケーブル保護チェーン８ｄを備えるため、配線ケーブル８は、Ｙ方向に沿う鉛直面内で湾曲することが可能である。
配線ケーブル８は、天板１Ｂが最下位置（図示実線参照））にあるとき、Ｘ方向から見てＪ字状に垂下している。このとき、第２収容部６Ｂ内の配線ケーブル８は、Ｘ方向から見てＵ字状に湾曲しており、連結金具８ｃの近傍の配線ケーブル８は、配線ガイド６ｑに沿って下方に垂れている。配線ケーブル８の下側の湾曲部は、側面部６ｊに接触している。
第２収容部６Ｂ内の配線ケーブル８は、天板１Ｂが最上位置（図示二点鎖線参照））にあるときには、上方に引き上げられて側面部６ｊからは浮いている。
【００４６】
図３に示すように、配線ケーブル８において、ケーブル保護チェーン８ｄから延出されたケーブル本体８ａのプラグ８ｂは、底面部６ｉ上において、配線ケーブル８と干渉しない位置に配置されたテーブルタップ９に挿入されている。
テーブルタップ９のケーブル９ａは、孔部６ｋに挿通され、第２収容部６Ｂの下方に延出されている。ケーブル９ａの端部は、例えば、床面Ｆの下に設けられた図示略の商用電源等に接続される。
【００４７】
図４に示すように、第２配線ダクト部６ｎの内部には、必要に応じて、電源用、通信用などのケーブル１８が配置される。ケーブル１８は、側板部６ｃにおける孔部６ｋを通して、第２収容部６Ｂから第１収容部６Ａ、第３収容部６Ｃの各第２配線ダクト部６ｎに挿通されてもよい。
【００４８】
図１に示すように、各仕切り板１０は、第１収容部６Ａ、第２収容部６Ｂ、および第３収容部６Ｃの上面部６ｅ上に、それぞれ着脱可能に立設されている
図５に示すように、仕切り板１０は、Ｘ方向から見て矩形板状の仕切り板本体１０ａと、仕切り板本体１０ａの下端から下方に延出された取付部１０ｂとを有する。
取付部１０ｂは、例えば、軸状部材などからなり、各仕切り板本体１０ａに複数設けられている。取付部１０ｂは、上面部６ｅの図示略の孔部に挿通されて、第２配線ダクト部６ｎにおいて支持されている。
図１では、各仕切り板１０が同形状の場合の例が示されているが、各仕切り板１０の外形や高さなどは互いに異なっていてもよい。さらに、デスク装置１１０等のレイアウトによって不要となる仕切り板１０は、適宜取り外すことが可能である。
【００４９】
次に、デスク装置システム１００の作用について説明する。
上述したように、配線収容ユニット１２０は、各デスク装置１１０、１１０Ｄの昇降脚部材２Ａを切欠き部６ｍに挿通して、支持脚２Ｌ、２Ｒのいずれか一方を、第１収容部６Ａ、第２収容部６Ｂ、および第３収容部６Ｃのいずれかの内部に配置することができる。
このとき、各天板１（１Ｄ）の右側外縁１ｍ（左側外縁１ｈ）の近傍の天板端部１ａが、平面視にて、第１収容部６Ａ、第２収容部６Ｂ、および第３収容部６Ｃにおける開口部６ｖとそれぞれ重なる位置関係に配置される。さらに、天板端部１ａの下面における配線ケーブル８の固定部も開口部６ｖと重なるため、配線ケーブル８の下端部が、開口部６ｖに進退可能な状態で、第１収容部６Ａ、第２収容部６Ｂ、および第３収容部６Ｃのいずれかの内部に収容される。
【００５０】
操作者が操作部７を操作して、各天板１（１Ｄ）を昇降させると、配線ケーブル８がＹ方向に鉛直面内で湾曲する。このため、配線ケーブル８は、開口部６ｖの長手方向に沿って開口部６ｖの範囲内で昇降する。
第１収容部６Ａ、第２収容部６Ｂ、および第３収容部６Ｃの内部では、底面部６ｉ上において、配線ケーブル８と干渉しない位置に、テーブルタップ９およびケーブル９ａが配置されている。これにより、各天板１（１Ｄ）が昇降しても、各天板１（１Ｄ）から垂下する配線ケーブル８が、テーブルタップ９およびケーブル９ａと干渉することなく円滑に移動することができる。このため、配線ケーブル８の安定的な移動が可能である。
【００５１】
第１収容部６Ａ、第２収容部６Ｂ、および第３収容部６Ｃの内部には、第２配線ダクト部６ｎの内部にケーブル１８を挿通することができる。第２配線ダクト部６ｎは、第１配線ダクト部６ｈの上方に位置し、上面部６ｅによって開口部６ｖからもずれている。  このため、第２配線ダクト部６ｎ内のケーブル１８が配線ケーブル８と干渉しない点でも、配線ケーブル８の安定的な移動が可能である。
【００５２】
このように、配線収容ユニット１２０は、各デスク装置１１０、１１０Ｄの各配線ケーブル８をまとめて収容できるため、各配線ケーブル８をコンパクトに収容することができ、かつ美観も損なわないように収容することができる。
さらに、各デスク装置１１０（１１０Ｄ）の支持脚２Ｒ（２Ｌ）を、平面視にて開口部６ｖと重なる範囲に配置するため、デスク装置システム１００の設置面積を低減することができる。
さらに、各デスク装置１１０（１１０Ｄ）において配線ケーブル８が、支持脚２Ｒ、２Ｌ（２Ｌ、２ＲＤ）の内側の側面よりも外側に位置するため、支持脚２Ｒ、２Ｌ（２Ｌ、２ＲＤ）間の各天板１（１Ｄ）の下方のスペースを有効利用することができる。
【００５３】
第１収容部６Ａ、第２収容部６Ｂ、および第３収容部６Ｃには、それぞれ切欠き部６ｍが４箇所に設けられており、それぞれに独立に昇降脚部材２Ａを挿入できる。これにより、デスク装置システム１００においては、各デスク装置１１０、１１０Ｄの配置位置は、図１に示す配置例には限定されない。例えば、配線収容ユニット１２０のＸ方向の２列全部に、デスク装置１１０、１１０Ｄから適宜選ばれた６つのデスク装置が配置されてもよい。
さらに、例えば、デスク装置１１０Ａの支持脚２Ｌを、第１収容部６Ａにおいて、第２収容部６Ｂ寄りの切欠き部６ｍに配置することによって、デスク装置１１０Ａ、１１０Ｂが、互いの背面外縁１ｂが対向し合うように配置することもできる。
このように、デスク装置システム１００では、デスク装置１１０等のレイアウトを種々変更することができる。いずれのレイアウトでも、各配線ケーブル８の安定的な移動が可能であり、各配線ケーブル８をコンパクトに収容することができる。
【００５４】
［第２の実施形態］
本発明の第２の実施形態の天板昇降式什器システムについて説明する。
図７は、本発明の第２の実施形態の天板昇降式什器システムの構成例を示す模式的な斜視図である。図８は、図７におけるＥ視の斜視図である。図９は、図８におけるＦ視の平面図である。
【００５５】
図７、図８に示すように、本実施形態のデスク装置システム１０１（天板昇降式什器システム）は、デスク装置１３０（天板昇降式什器）と、ワゴン１４０（配線収容什器）とを備える。
【００５６】
デスク装置１３０は、天板１１と、天板１１を昇降可能に支持する支持脚２Ｌ、２Ｒとを備える。支持脚２Ｌ、２Ｒは、上記第１の実施形態と同様の構成を備える。
以下、上記第１の実施形態と異なる点を中心に説明する。
【００５７】
天板１１は、上記第１の実施形態の天板１と平面視の外形状のみが異なる。
天板１１は、天板１と同様の正面外縁１ｆ、右側外縁１ｍ、および左側外縁１ｈを備え、天板１の背面外縁１ｂに代えて、背面外縁１１ｂを備える。上記第１の実施形態と同様に、水平面において、正面外縁１ｆが延びる方向をＸ方向、水平面においてＸ方向と直交する方向（左側外縁１ｈ、右側外縁１ｍが延びる方向）をＹ方向と言う。
背面外縁１１ｂは、平面視において、左側外縁１ｈ、右側外縁１ｍの間で正面外縁１ｆから遠ざかる方向に張り出す折れ線状または曲線状に形成されている。
【００５８】
天板１１の下面には、支持ブラケット３を介して支持脚２Ｌ、２Ｒの上端部が固定されている。
ただし、上記第１の実施形態とは異なり、少なくとも支持脚２Ｌの固定位置は、平面視にて左側外縁１ｈから支持脚２Ｌまでの間の範囲に、後述するワゴン１４０が配置できる程度に、左側外縁１ｈから離されている。図７、図８では、一例として、支持脚２Ｒも右側外縁１ｍから支持脚２Ｌと同様の距離だけ内側に入った位置で固定されている例が図示されている。
支持脚２Ｌが固定された支持ブラケット３と左側外縁１ｈとの間における天板１１の下面には、連結金具８ｃを介して配線ケーブル８の上端部が固定されている。
ただし、本実施形態では、配線ケーブル８は、Ｘ方向に延びる鉛直面内で、湾曲自在となる向きに固定されている。
【００５９】
ワゴン１４０は、平面視矩形状の上面部２０ａ（上端部）を有する直方体状の什器である。ワゴン１４０の内部には、上面部２０ａの長辺に沿う方向に引き出し可能な３段のドローアー２１ａ、２１ｂ、２１ｃを備える。
以下、ワゴン１４０において、各ドローアーが引き出される側をワゴン１４０の前側、その反対側をワゴン１４０の後側と言う。ワゴン１４０の左右方向に関しては、前側から後側を見たときの左右で表す。
【００６０】
ワゴン１４０の左右は、上面部２０ａの長辺に沿って延びる側板部２０ｂで覆われている。
図８に示すように、ワゴン１４０の後側には、上面部２０ａの後側の短辺に沿って、各側板部２０ｂの間に渡された背板部２０ｃが配置されている。
ワゴン１４０の上面部２０ａの後側の端部には、背板部２０ｃの近傍に、ワゴン１４０の左右に延びる平面視矩形状の開口部２０ｄが形成されている。
開口部２０ｄの短手方向（上面部２０ａの長辺方向）の幅は、配線ケーブル８のＹ方向の幅よりも広い。
図９に示すように、平面視において、ワゴン１４０に収容されたドローアー２１ａ、２１ｂ、２１ｃの後側の端部と、開口部２０ｄとの間には、ワゴン１４０の内部空間を前後に仕切る隔壁部２０ｅが配置されている。
【００６１】
図８に示すように、隔壁部２０ｅと背板部２０ｃの下端部には、水平方向に底板部２０ｆが渡されている。
底板部２０ｆには、厚さ方向に貫通する挿通孔部２０ｇが形成されている。
【００６２】
ワゴン１４０は、上面部２０ａを作業台として用いたり、ドローアー２１ａ、２１ｂ、２１ｃに物品や書類を収納したりする什器として使用することができる。
ただし、デスク装置システム１０１では、ワゴン１４０は配線収容什器としても機能する。
このため、図９に示すように、ワゴン１４０は、開口部２０ｄがＸ方向に延ばされ、天板１１から垂下される配線ケーブル８が上方から開口部２０ｄに挿通される位置関係に配置される。このとき、ワゴン１４０の右側（図９では左側）の側板部２０ｂは、Ｙ方向において支持脚２Ｌの外側に隣り合って配置される。
ワゴン１４０のＹ方向の位置は、配線ケーブル８が、開口部２０ｄの短手方向の略中央部に挿通する位置である。
ワゴン１４０は、支持脚２Ｌが固定された支持ブラケット３と左側外縁１ｈとの間の天板端部１１ａの下方に配置されている。
【００６３】
配線ケーブル８の下端部は、例えば、図示略の連結金具８ｃなどを介して、底板部２０ｆ上に固定される。
底板部２０ｆ上には、テーブルタップ９が配置されており、配線ケーブル８から延出されたケーブル本体８ａのプラグ８ｂはテーブルタップ９に挿入されている。
テーブルタップ９のケーブル９ａは、挿通孔部２０ｇに挿通され、底板部２０ｆの下方に延出されている。ケーブル９ａの端部は、例えば、床面Ｆの下に設けられた図示略の商用電源等に接続される。
【００６４】
本実施形態のデスク装置システム１０１によれば、デスク装置１３０の天板１１から垂下された配線ケーブル８が、ワゴン１４０の開口部２０ｄを通して、ワゴン１４０の内部の隔壁部２０ｅと背板部２０ｃとの間の収容空間に収容される。天板１１が昇降すると、配線ケーブル８は、開口部２０ｄの内側で昇降する。
したがって、天板１１が昇降しても、天板１１から垂下する配線ケーブル８の安定的な移動が可能となる。
本実施形態では、ワゴン１４０の一部が配線収容什器の機能を有するため、配線収容什器をワゴンなどの執務に必要な什器と別に設ける場合に比べて、省スペース化を実現できる。
本実施形態のデスク装置システム１０１は、単一のデスク装置１３０と、配線ケーブルとしてはデスク装置１３０の配線ケーブル８のみを収容するワゴン１４０と、からなる場合の構成例になっている。
【００６５】
［第３の実施形態］
本発明の第３の実施形態の天板昇降式什器システムについて説明する。
図１０は、本発明の第３の実施形態の天板昇降式什器システムの構成例を示す模式的な正面図である。
【００６６】
図１０に示すように、本実施形態のデスク装置システム１０２（天板昇降式什器システム）は、上記第１の実施形態のデスク装置システム１００におけるデスク装置１１０Ｄと、仕切り板１０とを削除し、各デスク装置１１０、配線収容ユニット１２０に代えて、各デスク装置１５０（天板昇降式什器）、配線収容ユニット１６０（配線収容什器）を備える。
以下、上記第１の実施形態と異なる点を中心に説明する。
【００６７】
デスク装置１５０は、上記第１の実施形態のデスク装置１１０において、支持脚２Ｒの固定位置を左側外縁１ｈの方に移動して構成される。このため、デスク装置１５０では、支持脚２Ｒと右側外縁１ｍとの間の天板端部３１ａの下面から床面Ｆまでの間に、後述する配線収容ユニット１６０の配置スペースが形成されている。
天板端部３１ａの下面において、Ｘ方向の中間部には、連結金具８ｃを介して、配線ケーブル８が垂下されている。配線ケーブル８は、上記第１の実施形態と同様、Ｘ方向に延びる鉛直面内で湾曲自在になっている。
【００６８】
配線収容ユニット１６０は、各デスク装置１５０において、各天板端部３１ａの下方を横断するようにＹ方向に延ばされている。
配線収容ユニット１６０は、Ｙ方向から見ると、上面部３６ａ（上端部）と、上面部３６ａのＸ方向の両端部から下方に延ばされた側板部３６ｂと、側板部３６ｂの下端部の間に水平方向に渡された底板部３６ｆとで囲まれた矩形状に形成されている。
底板部３６ｆの下面には、上記第１の実施形態と同様、複数の接地部材６ｂが突出されている。底板部３６ｆは、複数の接地部材６ｂを介して床面Ｆ上に配置される。
配線収容ユニット１６０のＹ方向の両端部は、図１０に一端部を示すように、端部カバー３６ｓによって塞がれている。
【００６９】
上面部３６ａのＸ方向に中央部には、天板１から垂下された配線ケーブル８を挿通する開口部３６ｅが厚さ方向に貫通している。開口部３６ｅは、天板１の昇降によって移動する配線ケーブル８と接触しない程度の大きさを有していれば、形状や形成範囲は限定されない。
【００７０】
配線ケーブル８の下端部は、図示略の連結金具８ｃなどを介して、底板部３６ｆに固定されている。
配線収容ユニット１６０の内部には、テーブルタップ９（不図示。以下同じ。）が配置され、図示略の挿通孔などから、ケーブル９ａ（不図示。以下同じ。）が延出可能である。テーブルタップ９およびケーブル９ａは、底板部３６ｆと絡まないように配置されている。
配線収容ユニット１６０の内部には、収容される配線ケーブル８とケーブル９ａ等のケーブルとの絡み合いを防止する部材が配置されていてもよい。例えば、配線収容ユニット１６０の内部には、上記第１の実施形態と同様に、チャンネル部材や板部材を配置するなどして、配線ケーブル８とケーブル９ａ等のケーブルとが上下に分けて収容されてもよい。
配線収容ユニット１６０の内部において、複数の配線類が同一面上にＹ方向に並走される場合には、配線ケーブル８とケーブル９ａ等のケーブルとの配置位置をＸ方向において分ける配線ガイド板などが設けられてもよい。
【００７１】
本実施形態のデスク装置システム１０２によれば、各デスク装置１５０の天板１から垂下された配線ケーブル８が、配線収容ユニット１６０の開口部３６ｅを通して、配線収容ユニット１６０の内部にＹ方向に沿って収容される。
天板１が昇降すると、配線ケーブル８は、開口部３６ｅ内で移動して、底板部３６ｆの上側に収容される。底板部３６ｆ上に配線ケーブル８が接触する際には、配線ケーブル８と底板部３６ｆ上のケーブル９ａ等のケーブルとが絡み合わないようになっている。
したがって、天板１が昇降しても、天板１から垂下する配線ケーブル８の安定的な移動が可能となる。
【００７２】
本実施形態のデスク装置システム１０２は、配線収容ユニット１６０に支持脚２Ｒが挿入されることなく、配線収容ユニット１６０のＸ方向に隣り合って配置されている構成例になっている。
このように構成することで、底板部３６ｆ上に、配線ケーブル８の下端部を固定できる場所を多数用意しておくことにより、デスク装置１５０のＹ方向における配置の変更が容易になる。このため、デスク装置１５０のレイアウト変更を行う作業が容易になる。
【００７３】
本実施形態では、支持脚２Ｒが配線収容ユニット１６０内に挿入されないため、種々の形状の支持脚を有するデスク装置を混合配置することが容易になる。
【００７４】
［第４の実施形態］
本発明の第４の実施形態の天板昇降式什器システムについて説明する。
図１１は、本発明の第４の実施形態の天板昇降式什器システムの構成例を示す模式的な平面図である。図１２は、図１１におけるＨ−Ｈ断面図である。
【００７５】
図１１に示すように、本実施形態のデスク装置システム１０３（天板昇降式什器システム）は、上記第３の実施形態のデスク装置システム１０２における各デスク装置１５０、配線収容ユニット１６０に代えて、各デスク装置１７０（天板昇降式什器）、配線収容ユニット１８０（配線収容什器）を備える。
以下、上記第３の実施形態と異なる点を中心に説明する。
【００７６】
図１１には、複数のデスク装置１７０のうち、互いに隣り合うデスク装置１７０Ａ、１７０Ｂが描かれている。
各デスク装置１７０は、いずれも同一の構成を有し、上記第１の実施形態のデスク装置１１０において、配線ケーブル８の固定位置を変えて構成される。
デスク装置１７０では、配線ケーブル８は、その上端部が支持脚２Ｌ、２Ｒの間であって背面外縁１ｂ寄りの天板端部４１ａの下面に連結金具８ｃを介して固定された状態で、下方に垂下されている。本実施形態では、配線ケーブル８は、天板１の背面外縁１ｂに平行な鉛直面内で湾曲自在になっている。
【００７７】
配線収容ユニット１８０は、上記第３の実施形態における配線収容ユニット１６０の開口部３６ｅ、接地部材６ｂに代えて、開口部４６ｅ、接地部材４６ｂを備える。
開口部４６ｅは、開口部３６ｅと同様、上面部３６ａに貫通されている。ただし、開口部４６ｅは、各デスク装置１７０から垂下される配線ケーブル８のそれぞれの配置位置に合わせた位置に開口している点が上記第３の実施形態と異なる。
平面視において配線収容ユニット１８０の長手方向をＹ方向とすると、本実施形態では、各デスク装置１７０は、背面外縁１ｂがＹ方向に延び、天板端部４１ａが配線収容ユニット１８０を上方から覆う位置に配置される。このため、開口部４６ｅは、支持脚２Ｌ、２Ｒ間の中央部において、配線ケーブル８の上端の固定部である連結金具８ｃおよび配線ケーブル８と重なるように、Ｙ方向に延びて形成されている。
【００７８】
接地部材４６ｂは、図１２に示すように、配線収容ユニット１８０の底板部３６ｆをベース部材２Ｂよりも上方の位置に支持する点が、上記第３の実施形態における接地部材６ｂと異なる。
このため、各デスク装置１７０のベース部材２Ｂの背面外縁１ｂ側の端部は、床面Ｆと底板部３６ｆの下面との間の空間に挿入されている。図１１に示すように、平面視では、各デスク装置１７０のベース部材２Ｂの背面外縁１ｂ側の端部は、天板端部４１ａの下方において、配線収容ユニット１８０と重なる範囲に延ばされている。
【００７９】
配線収容ユニット１８０の内部では、上記第３の実施形態と同様、配線ケーブル８の下端部が連結金具８ｃを介して底板部３６ｆに固定されている（図１２参照）。
図１１に示すように、配線ケーブル８の下端部の近傍には、テーブルタップ９が配置され、配線ケーブル８から延出したケーブル本体８ａのプラグ８ｂがテーブルタップ９に挿入されている。
【００８０】
デスク装置システム１０３によれば、各デスク装置１７０の天板１から垂下された配線ケーブル８が、配線収容ユニット１８０の開口部４６ｅを通して、配線収容ユニット１８０の内部にＹ方向に沿って収容される。
天板１が昇降すると、配線ケーブル８は、開口部４６ｅ内で移動して、底板部３６ｆの上側に収容される。上記第３の実施形態と同様、底板部３６ｆ上に配線ケーブル８が接触する際には、配線ケーブル８と底板部３６ｆ上のケーブル９ａ等のケーブルとが絡み合わないようになっている。
したがって、天板１が昇降しても、天板１から垂下する配線ケーブル８の安定的な移動が可能となる。
【００８１】
本実施形態のデスク装置システム１０３は、配線収容ユニット１８０の長手方向に沿ってデスク装置１７０が並んで配置される場合に、配線ケーブル８および配線収容ユニット１８０が、背面外縁１ｂの近傍において背面外縁１ｂに沿って延びる天板端部４１ａの下方に配置されている構成例になっている。
このように構成されても、ベース部材２Ｂの一部が、配線収容ユニット１８０の下方に重なるため、デスク装置システム１０３の接地面積の省スペース化が可能である。
さらに、底板部３６ｆの下面と床面Ｆとは、接地部材４６ｂが設けられた位置を除いて、ベース部材２Ｂを挿入可能な隙間が設けられているため、開口部４６ｅを十分長く開口させることによって、デスク装置１７０のＹ方向の配置位置の変更がしやすくなる。
【００８２】
なお、上記各実施形態の説明では、天板が平面視にて、矩形状、Ｌ字状、または一外縁が外側に張り出した略矩形状の場合の例で説明した。天板の平面視の外形状は、例えば、多角形状、円状、楕円状、長円状、半円状、Ｕ字状、Ｔ字状などであってもよい。
【００８３】
上記第１の実施形態では、配線収容ユニット１２０が、位置規制部として、昇降脚部材２ＡのＹ方向の位置を所定範囲に位置規制可能、かつ、Ｘ方向の一方向の位置を位置規制可能な切欠き部６ｍを備える場合の例で説明した。
ただし、位置規制部の構成は、天板昇降式什器および配線収容什器の独立を保って、相対位置の位置規制が可能であって、位置規制部と規制対象との間に隙間を有している構成であれば、位置規制部の一部が規制対象に当接していてもよい。
例えば、位置規制部として、昇降脚部材２ＡをＸ方向およびＹ方向において所定範囲に囲む構成が用いられてもよい。
さらに、位置規制部は、天板昇降式什器および配線収容什器の少なくとも一方に備えられていればよい。
【００８４】
上記第２の実施形態の説明では、ワゴン１４０が支持脚２Ｌの外側に配置された場合の例で説明したが、配線ケーブル８の上端の固定位置を変更することによって、支持脚２Ｒの外側に配置される構成としてもよい。
さらに、支持脚２Ｌ、２Ｒの対向間隔が十分広い場合には、配線ケーブル８の上端の固定位置を変更することによって、ワゴン１４０が支持脚２Ｌ、２Ｒの間に配置される構成としてもよい。
【００８５】
上記第３の実施形態の説明では、デスク装置システム１０２において、デスク装置１５０が複数であって、配線収容ユニット１６０が複数のデスク装置１５０の天板端部３１ａの下方を横断する構成の場合の例で説明した。しかし、配線収容ユニット１６０は、１つのデスク装置１５０を横断する構成でもよい。あるいは、配線収容ユニット１６０は、１つのデスク装置１５０の天板端部３１ａの下方において、正面外縁１ｆと背面外縁１ｂとの間の範囲に配置される構成でもよい。
【００８６】
上記第３の実施形態の説明では、配線収容ユニット１６０は、配線のみを収容する什器として説明したが、配線収容ユニット１６０は、上記第２の実施形態と同様に、ワゴンなどの他の什器の機能を兼ねていてもよい。
【００８７】
上記第４の実施形態の説明では、Ｙ方向に隣り合うデスク装置１７０は、図１１に示すように、各正面外縁１ｆがＸ方向における同方向側に配置された例で説明した。しかし、互いにＹ方向に隣り合うデスク装置１７０は、各正面外縁１ｆが、配線収容ユニット１８０を間に挟んで、Ｘ方向における反対側に向くように配置されてもよい。
【００８８】
上記第４の実施形態の説明では、配線収容ユニット１８０の下方に挿入されたベース部材２ＢがＹ方向に位置規制されない場合の例で説明した。しかし、配線収容ユニット１８０の下部において、ベース部材２ＢのＸ方向およびＹ方向の少なくとも一方の位置を規制可能な位置規制部を設けた構成としてもよい。
【００８９】
以上、本発明の好ましい実施形態を説明したが、本発明はこれら実施形態及びその変形例に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
【符号の説明】
【００９０】
１、１Ａ、１Ｂ、１Ｃ、１Ｄ、１１  天板
１ａ，１１ａ、３１ａ、４１ａ  天板端部
１ｂ、１１ｂ  背面外縁
１ｆ  正面外縁
１ｈ  左側外縁
１ｍ  右側外縁
２Ａ  昇降脚部材
２Ｂ  ベース部材
２ｄ、６ｂ、４６ｂ  接地部材
２Ｌ、２Ｒ、２ＲＤ  支持脚
６Ａ  第１収容部
６Ｂ  第２収容部
６Ｃ  第３収容部
６ｄ  水平方向開口部
６ｅ、２０ａ、３６ａ  上面部（上端部）
６ｆ  側面
６ｇ  側板
６ｈ  第１配線ダクト部
６ｉ  底面部
６ｋ  孔部
６ｍ  切欠き部（位置規制部）
６ｎ  第２配線ダクト部
６ｑ  配線ガイド
６ｖ、２０ｄ、３６ｅ、４６ｅ  開口部
８  配線ケーブル
８ａ  ケーブル本体
８ｃ  連結金具（固定部）
８ｄ  ケーブル保護チェーン
９  テーブルタップ
９ａ、１８  ケーブル
２０ｆ、３６ｆ  底板部
１００、１０１、１０２、１０３  デスク装置システム（天板昇降式什器システム）
１１０、１１０Ａ、１１０Ｂ、１１０Ｃ、１１０Ｄ、１３０、１５０、１７０、１７０Ａ、１７０Ｂ  デスク装置（天板昇降式什器）
１２０、１６０、１８０  配線収容ユニット（配線収容什器）
１４０ ワゴン（配線収容什器）
Ｆ  床面
【図１】
0006732493.tif 000002
【図２】
0006732493.tif 000003
【図３】
0006732493.tif 000004
【図４】
0006732493.tif 000005
【図５】
0006732493.tif 000006
【図６】
0006732493.tif 000007
【図７】
0006732493.tif 000008
【図８】
0006732493.tif 000009
【図９】
0006732493.tif 000010
【図１０】
0006732493.tif 000011
【図１１】
0006732493.tif 000012
【図１２】
0006732493.tif 000013